(57)【特許請求の範囲】
【請求項１】
複数のワイヤレス呼出送信器と、上記ワイヤレス呼出送信器から送信されてきた呼出信号を受信して、複数の表示窓のうち、いずれかの表示窓に呼出情報を表示するワイヤレス呼出受信器と、上記ワイヤレス呼出送信器に対応する消去信号を送信することによって、上記ワイヤレス呼出受信器に表示されている上記ワイヤレス呼出送信器の表示情報を消去する表示消去用送信器とで構成されたワイヤレス呼出システムにおいて、
上記ワイヤレス呼出受信器及び表示消去用送信器のいずれか一方又は双方には、上記ワイヤレス呼出受信器に表示されている上記ワイヤレス呼出送信器の表示情報のうち、予め特定されたワイヤレス呼出送信器の表示情報だけを一度に全消去させる部分消去用操作部を設けたことを特徴とするワイヤレス呼出システム。
【請求項２】
請求項１において、
上記ワイヤレス呼出受信器及び表示消去用送信器のいずれか一方又は双方には、上記全消去用操作部又は部分消去用操作部が操作された後の一定時間内であれば、その操作の実行を解除して操作前の状態に復帰させる取消用操作部を設けたことを特徴とするワイヤレス呼出システム。
【発明の詳細な説明】
【０００１】
【発明の属する技術分野】
本発明は、複数のワイヤレス呼出送信器と、上記ワイヤレス呼出送信器から送信されてきた呼出信号を受信して、複数の表示窓のうち、いずれかの表示窓に呼出情報を表示するワイヤレス呼出受信器と、上記ワイヤレス呼出送信器に対応する消去信号を送信することによって、上記ワイヤレス呼出受信器に表示されている上記ワイヤレス呼出送信器の表示情報を消去する表示消去用送信器とで構成されたワイヤレス呼出システムの改良に関する。
【０００２】
【従来の技術】
従来から、レストランなどでは、ワイヤレス呼出システムが広く利用されており、このシステムは、客が、各テーブルや座敷などに設置されたワイヤレス呼出送信器のボタンを操作すると、呼出信号としてワイヤレス信号が送信され、これを接客係の見やすい位置に設置されたワイヤレス呼出受信器で受信して、その表示窓にワイヤレス呼出送信器の表示情報、例えばテーブル番号などを表示する。
【０００３】
そして、呼出されたテーブル番号の表示情報を見た接客係は、呼出信号を送信したテーブルに行って接客し、その接客を完了したときや、或いは、今から呼出信号を送信したテーブルに行って接客をするときなどには、複数の表示消去用送信器の中から、これに対応する表示消去用送信器だけを操作して、ワイヤレス呼出受信器に表示されているテーブル番号を消去するものであった。
【０００４】
【発明が解決しようとする課題】
ところが、従来のシステムでは、ワイヤレス呼出送信器に表示されているテーブル番号などの表示情報を、その対応する表示消去用送信器毎に個別操作して消去していた為、例えば、複数のテーブルでの接客を一度に完了したときなど、ワイヤレス呼出送信器に表示されている複数のテーブル番号を一度に全消去したい場合であっても、その対応する表示消去用送信器を一々個別に操作しなければならず、不便であった。
【０００５】
特に、テーブル数の多いレストランなどでは、団体客など、複数のテーブルでの接客を一度に完了することも多く、その度に表示消去用送信器を一々個別に操作することは作業性も悪いという問題があった。
【０００６】
本発明は、上記事情を考慮してなされたものであり、ワイヤレス呼出送信器に表示されている複数のテーブル番号を一度に全消去することのできるワイヤレス呼出システムを提供することを目的としている。
【０００９】
【課題を解決するための手段】
上記目的を達成するために、
本発明の請求項１に記載のワイヤレス呼出システムは、複数のワイヤレス呼出送信器と、上記ワイヤレス呼出送信器から送信されてきた呼出信号を受信して、複数の表示窓のうち、いずれかの表示窓に呼出情報を表示するワイヤレス呼出受信器と、上記ワイヤレス呼出送信器に対応する消去信号を送信することによって、上記ワイヤレス呼出受信器に表示されている上記ワイヤレス呼出送信器の表示情報を消去する表示消去用送信器とで構成されたワイヤレス呼出システムにおいて、上記ワイヤレス呼出受信器及び表示消去用送信器のいずれか一方又は双方には、上記ワイヤレス呼出受信器に表示されている上記ワイヤレス呼出送信器の表示情報のうち、予め特定されたワイヤレス呼出送信器の表示情報だけを一度に全消去させる部分消去用操作部を設けている。
【００１０】
このシステムでは、ワイヤレス呼出受信器に表示されている表示情報のうち、予め特定されたワイヤレス呼出送信器の表示情報だけを一度に全消去させる部分消去用操作部を設けているため、例えば、接客するテーブルのエリアが定まっている場合など、対応する表示消去用送信器を一々操作しなくても、部分消去用操作部を操作するだけで、エリア毎の表示情報を簡単に全消去することができ、作業性を高めることができる。
【００１１】
請求項２に記載のワイヤレス呼出システムは、請求項１において、上記ワイヤレス呼出受信器及び表示消去用送信器のいずれか一方又は双方には、上記全消去用操作部又は部分消去用操作部が操作された後の一定時間内であれば、その操作の実行を解除して操作前の状態に復帰させる取消用操作部を設けている。
【００１２】
このシステムでは、一定時間内に操作されると、全消去用操作部又は部分消去用操作部の操作の実行を解除させる取消用操作部を設けているので、全消去用操作部又は部分消去用操作部を誤って操作したときなどでも、その誤操作を容易に取り消すことができ、作業性を高めることができる。
【００１３】
【発明の実施の形態】
以下に、本発明の実施の形態について、図面とともに説明する。
【００１４】
図１は、本発明のワイヤレス呼出システムの要部構成の一例を示す図である。
【００１５】
このシステムは、少なくとも、ワイヤレス呼出受信器１と、複数のワイヤレス呼出送信器５Ａ、５Ｂと、ワイヤレス呼出受信器１に表示されている表示情報を消去する表示消去用送信器５Ｃとで構成される。なお、その他の構成要素については後述する。
【００１６】
ワイヤレス受信器１は、ワイヤレス送信器５Ａ、５Ｂ及び表示消去用送信器５Ｃを登録する登録モードを備えており、この登録モードにおいては、これらの送信器５Ａ〜５Ｃの送信器識別情報、例えば、ＩＤコードに対応して、ワイヤレス受信器１のなすべき処理を登録できる。
【００１７】
ワイヤレス受信器１は、実行する処理、すなわち、ワイヤレス呼出処理、ワイヤレス呼出番号消去処理、呼出音の音量、音色などを設定する処理や、所定の警報モードの入り切り設定などの各種設定モードを、目的別に、スイッチ操作などにより選択して実行できる。
【００１８】
このワイヤレス受信器１は、ワイヤレス送信器５Ａからのワイヤレス信号を受信すると、そのワイヤレス信号に含まれる送信情報を抽出し、そのワイヤレス送信器５Ａの番号を表示窓に表示するとともに報知音を出力する。
【００１９】
ワイヤレス送信器５Ｂは、複数ある操作釦のそれぞれから、異なるＩＤコードである送信器識別情報が送信されるようになっており、送信器識別情報で規定されるＩＤコードに基づいて、複数ある操作釦のいずれかの番号を操作すれば、これに対応される番号をワイヤレス受信器１表示するとともに報知音を出力する。
【００２０】
表示消去用送信器５Ｃは、複数ある操作釦のそれぞれから、異なるＩＤコードである送信器識別情報が送信されるようになっており、このＩＤコードに基づいて、複数ある操作釦のいずれかを操作すれば、これに対応される番号の表示を消去する。
【００２１】
本発明では、このような基本構成を備えたワイヤレス呼出システムにおいて、ワイヤレス呼出受信器１及び表示消去用送信器５Ｃのいずれか一方又は双方には、ワイヤレス呼出受信器１に表示されているワイヤレス呼出送信器５Ａ、５Ｂの表示情報を、一度に全消去させる全消去用操作部５Ｄを設けている。
【００２２】
ここでは、全消去用操作部５Ｄをワイヤレス呼出受信器１及び表示消去用送信器５Ｃの双方に設けたものを例示している。
【００２３】
すなわち、この全消去用操作部５Ｄは、これを操作すれば、ワイヤレス呼出受信器１に表示されている全ての番号表示を一度に消去させる。
【００２４】
例えば、図２（ａ）に示すように、今、ワイヤレス呼出受信器１にテーブル番号（１、２、３、７、８、１３）が表示されており、これらのテーブル番号を一度に消去したいときには、全消去用操作部５Ｄを操作するだけで、表示されているテーブル番号を一度に全消去する。
【００２５】
そのため、複数のテーブル番号などの表示情報を一度に消去したいときには、対応する表示消去用送信器５Ｃの操作釦を一々操作しなくても、全消去用操作部５Ｄを操作するだけで簡単に全消去することができ、作業性を高めることができる。
【００２６】
また、本実施例では、全消去用操作部５Ｄに併設させて、ワイヤレス呼出受信器１に表示されている表示情報のうち、予め特定されたワイヤレス呼出送信器１の表示情報だけを一度に全消去させる部分消去用操作部５Ｅを設けている。
【００２７】
この部分消去用操作部５Ｅは、例えば、図２（ｂ）に示すように、複数のテーブル番号（１〜１８）に対して複数の接客係（甲、乙、丙）毎に担当エリアが決められている場合などに有効であり、この部分消去用操作部５Ｅを操作すれば、ワイヤレス呼出受信器１に表示される表示情報の中から、予め特定されたワイヤレス呼出送信器５Ａ、５Ｂの表示情報だけを一度に全消去させる。
【００２８】
例えば、接客係（甲）は、テーブル番号（１〜６）を、接客係（乙）は、テーブル番号（７〜１２）を、接客係（丙）は、テーブル番号（１３〜１８）を、各々担当するエリアが決められており、部分消去用操作部５１Ｅの個別操作部（５１Ｅ、５２Ｅ…）が上記各エリア毎に対応して設定されている場合において、今、ワイヤレス呼出受信器１にテーブル番号（１、２、３、７、８、１３）が表示されており、接客係（甲）が自分の担当するエリアのテーブル番号を一度に消去したいときには、対応する部分消去用操作部５Ｅの個別操作部（例えば、５１Ｅ）を操作するだけで、表示されているテーブル番号の中から、エリア毎の表示情報（１、２、３）だけを一度に全消去することができ、作業性を高めることができる。
【００２９】
更に、これら全消去用操作部５Ｄ又は部分消去用操作部５Ｅに併設させて、これらが操作された後の一定時間内であれば、その操作の実行を解除して操作前の状態に復帰させる取消用操作部５Ｆを設けている。
【００３０】
そのため、全消去用操作部５Ｄ又は部分消去用操作部５Ｅを誤って操作したときなどでも、一定時間内（例えば３秒間内）に取消用操作部５Ｆを操作すれば、その誤操作を容易に取り消すことができ、作業性を高めることができる。
【００３１】
上記のワイヤレス呼出受信器１は、図３に示すような構成をしており、無線受信部１１がアンテナａを通じてワイヤレス信号を受信すると、その信号を復調部１２で復調した後、波形整形部１３で整形し、信号処理部１０が信号の内容を判別する。無線受信部１１は、ＰＬＬ制御部１４によって発振制御がされている。
【００３２】
ＲＡＭなどで構成された記憶部１５には、予め、ワイヤレス信号に含まれる送信器識別情報に対応した処理が登録されており、信号処理部１０は、ワイヤレス信号を受信すると記憶部１５を参照して処理を判断する。
【００３３】
また、１６はその他の押しボタンなどで構成される操作部、１７は表示窓や液晶ディスプレイなどで構成される表示部、１８はチャイム音や音声メッセージなどによって、呼出音などを報知する報知部１８、１９は後述する呼出メッセージ鳴動器といった外部機器に呼出情報を出力する外部データ出力部である。
【００３４】
また、上記のワイヤレス呼出送信器５Ａ、５Ｂは、図４に示すような構成をしており、操作釦５１が操作されると、報知／表示部が点灯あるいは点滅する。そして、信号処理部５０がデータ記憶部５２を参照して、この送信器５Ａ、５Ｂに対応して予め登録されている送信器識別情報を読み出し、その情報を含んだワイヤレス信号を無線送信部５３によってアンテナａ’を通じて送信する。ここで、無線送信部５３は、ＰＬＬ制御部５５によって発振制御がされている。なお、５７はこの送信器５Ａを動作させるための電池である。
【００３５】
本発明のワイヤレス呼出システムでは、ワイヤレス受信器１、ワイヤレス送信器５Ａ、５Ｂの他、以下の構成要素を備える。
【００３６】
すなわち、１’は増設受信器であり、ワイヤレス受信器１と異なる場所（例えば、厨房内等）に設置する場合に使用され、ワイヤレス受信器１と同じ内容が表示される。２、７は増設アンテナであり、送信器５Ａ〜５Ｅからのワイヤレス信号が受信器１に到達しにくい場合に使用される。３は増設スピーカであり、受信器１から出力される報知音が到達しにくい場所で使用される。
【００３７】
また、４は各種センサである。４Ａは、人体検知センサであり、来客などを検知すれば、その検知信号を受信器１に出力して、受信器１から所定の音を出力させる。４Ｂは、録音・再生機能付センサであり、来客などを検知すれば、そこに録音されている音声（「いらっしゃいませ」）などを出力させるが、この音声は、所望のメッセージ内容に自由に変更して、録音することができる。
【００３８】
６は呼出メッセージ鳴動器であり、送信器５Ａ，５Ｄから呼出があったときには、その旨を、表示器に表示した番号を含めて呼出メッセージとして伝える。
【００４０】
以上の説明からも理解できるように、本発明の請求項１に記載のワイヤレス呼出システムによれば、ワイヤレス呼出受信器に表示されている表示情報のうち、予め特定されたワイヤレス呼出送信器の表示情報だけを一度に全消去させる部分消去用操作部を設けているため、例えば、接客するテーブルのエリアが定まっている場合など、対応する表示消去用送信器を一々操作しなくても、部分消去用操作部を操作するだけで、エリア毎の表示情報を簡単に全消去することができ、作業性を高めることができる。
【００４１】
請求項２に記載のワイヤレス呼出システムによれば、一定時間内に操作されると、全消去用操作部又は部分消去用操作部の操作の実行を解除させる取消用操作部を設けているので、全消去用操作部又は部分消去用操作部を誤って操作したときなどでも、その誤操作を容易に取り消すことができ、作業性を高めることができる。
【図面の簡単な説明】
【図１】本発明のワイヤレス呼出システムの要部構成の一例を示す図である。
【図２】（ａ）、（ｂ）は、本発明のワイヤレス受信器の動作例を示す図である。
【図３】ワイヤレス受信器の内部構成の一例を示す図である。
【図４】ワイヤレス送信器の内部構成の一例を示す図である。
【符号の説明】
１・・・ワイヤレス呼出受信器
５Ａ、５Ｂ・・・ワイヤレス呼出送信器
５Ｃ・・・表示消去用送信器
５Ｄ・・・全消去用操作部
５Ｅ・・・部分消去用操作部
５Ｆ・・・取消用操作部
【図１】
0003669499.tif 000002
【図２】
0003669499.tif 000003
【図３】
0003669499.tif 000004
【図４】
0003669499.tif 000005